(57)【特許請求の範囲】
【請求項１】
水道水を供給する水道本管の傍らに貯水槽を設け、水道本管と貯水槽との間を流入管と流出管とで接続し、水道本管、流入管及び流出管には何れもそれぞれ緊急作動弁を付設し、正常時には水道本管内を流れる水道水を貯水槽を通って流し、緊急時には水道水を貯水槽に通さないで流すようにした水道水の供給方法において、上記緊急作動弁の近くにボンベと制御弁とを設置して制御弁にボンベからの加圧気体を導入し、各緊急作動弁にはピストン式のアクチュエータを付設し、制御弁には水道水の圧力により加圧気体の通路を変更させる通路変更部を設けておき、水道本管を流れる水道水の圧力が設定値以上である間は制御弁の通路変更部がボンベからの加圧気体を各ピストンの一側に導入して、緊急作動弁に上記正常時の水道水の流れを維持させ、水道本管を流れる水道水の圧力が設定値より低下した時、制御弁の通路変更部がボンベからの加圧気体を各ピストンの他側に導入して緊急作動弁を作動させ、上記緊急時の水道水の流れに変更することを特徴とする、水道水の供給方法。
【請求項２】
水道水を供給する水道本管の傍らに貯水槽を設け、水道本管と貯水槽との間を流入管と流出管とで接続し、水道本管、流入管及び流出管には何れもそれぞれ緊急作動弁を付設し、正常時には水道本管内を流れる水道水を貯水槽を通って流し、緊急時には水道水を貯水槽に通さないで流すようにした水道水の供給設備において、緊急作動弁の近くにボンベと制御弁とを設置してボンベと制御弁とを通気管で連通し、緊急作動弁には何れもピストン式のアクチュエータを付設し、制御弁に２本の通気管を接続して各通気管を各アクチュエータのピストンの両側に接続し、水道水の圧力が正常な間は制御弁が２本の通気管の一方から加圧気体をピストンの一側に送り、これによって緊急作動弁が貯水槽を経由して水道水を流し続け、水道水の圧力が異常に低下した時、制御弁が２本の通気管の他方から加圧気体をピストンの他側へ送り、これによって緊急作動弁が貯水槽を経由しない水道水の流れに変わることを特徴とする、水道水の供給設備。
【請求項３】
制御弁が水道水の圧力感知部と加圧気体の通路変更部とからなり、圧力感知部がダイヤフラムを含んでいて水圧によって変形し、これによって通路変更部が、２本の通気管のうちの一方から他方へと加圧気体の流れを変えることを特徴とする、請求項２に記載の水道水の供給設備。
【発明の詳細な説明】
【０００１】
【産業上の利用分野】
この発明は、水道水の供給方法及び供給設備に関するものである。
【０００２】
【従来の技術】
水は人の日常生活に欠くべからざるものである。そのため、地震等の災害によって水道管が破損した場合に、生活用の水を供給するために、学校、公園などの公共用地に貯水槽を設け、ここに水道水を蓄えておき、災害の発生した場合には、この水を生活用水として供給するという計画がなされている。
【０００３】
水道水は、これを貯水槽内に蓄えたまま放置したのでは、腐敗し汚染されて生活用水として使用できなくなる。従って、貯水槽に蓄えられた水は常時循環されなければならない。そのために、貯水槽はその傍らを通っている水道管に接続されて、貯水槽内の水が常に循環するようにされている。すなわち、貯水槽は、流入管と流出管とによって水道本管に接続され、水道本管内を通る水道水が常に流入管から貯水槽内へ流れ込むと同時に、流出管から流れ出るようにして、貯水槽内の水を絶えず更新している。
【０００４】
地震の発生時には、水道本管が破損し、このために水道本管内に汚水が流れ込み、貯水槽内に蓄えられた水がこの汚水によって汚染されるおそれがある。そこで、このような場合に備えて、水道本管と貯水槽との間を接続している流入管と流出管とを閉じて、水道本管を流れる水が貯水槽内へ流れ込まないようにする必要がある。このための試みも知られている。
【０００５】
その試みの１つは、水道本管、流入管及び流出管のそれぞれに二方口弁を付設することを要旨とするものである。その試みは、これを詳しく云えば、図１に模型的に示したように、水道本管１と貯水槽２との間を接続している流入管３と流出管４とに、それぞれ二方口弁を付設して、これらの弁を緊急遮断弁Ｐ及びＱとし、流入管３と流出管４との間にある水道本管部分に二方口弁を付設してこれを緊急開放弁Ｒとする、と云うものである。この試みでは、地震が起きた場合に、緊急遮断弁ＰとＱとが閉じるとともに、緊急開放弁Ｒが開いて、水道本管１から水道水が貯水槽２内へ流れ込まないようにしている。このような試みは、例えば実公昭６２−１１８１４号公報に記載されている。
【０００６】
また、緊急時に水道水が貯水槽へ流れ込まないようにする他の試みは、流入管と流出管とに跨って四方口弁を付設することを要旨とするものである。この試みは、詳しく云えば、図２に模型的に示したような配管構成を採るものであって、水道本管１と１１との間を切断して、そこに流入管と流出管とを付設し、流入管と流出管とに跨って四方口弁Ｓを付設したものである。
【０００７】
図２に示した配管構成では、正常時には水道水が水道本管１から流入管３を通り、四方口弁Ｓの入口Ａから入って出口Ｄから出て、流入管３’を経由して貯水槽２へ入り、貯水槽２内の水は流出管４’を通り、四方口弁Ｓの入口Ｃから入って出口Ｂから出て、流出管４を通って水道本管１１へ流れ込むこととされる。こうして貯水槽２内の水は更新される。
【０００８】
図２に示した配管構成では、緊急時に四方口弁Ｓが作動して出口Ｄと入口Ｃとが閉じられる。その結果、水道本管１からの水道水は流入管３を経て四方口弁Ｓへ流入するが、流入した水は四方口弁Ｓの出口Ｂから流出管４を通って水道本管１１へ流出することとなる。こうして、水道水は貯水槽２へは流れ込まなくなる。このような提案は、例えば特許第２６０７５２７号公報に記載されている。
【０００９】
図１及び図２に示される配管構成によれば、そこに付設されている緊急作動弁が説明どおりに作動すれば、貯水槽の水が更新され、地震等の災害が発生した緊急時には生活用水が確保されることとなる。ところが、これまでの提案では、これらの配管構成において緊急作動弁を作動させる機構に問題があった。
【００１０】
例えば、実公昭６２−１１８１４号公報では、図１における緊急遮断弁Ｐ又はＱを作動させるのに水道水の圧力差を利用することとしているが、水道水の圧力差を利用するものは構造が複雑なために故障が多く、緊急時に確実に作動することが保障されない。なぜならば、緊急作動弁Ｐを作動させるためには、図３に示したようなパイロット弁９、９’とスプリングを内臓した主弁１０とからなる操作装置を使用する必要があって構造が複雑だからであり、とくに主弁１０ではスプリングが常に水中に浸漬されているため、腐蝕されて緊急時に作動しなくなるからであり、さらには、水道水の圧力差を利用しているために、水道水が流れなくなると作動できなくなるからである。
【００１１】
また、四方口弁を使用することとしている特許第２６０７５２７号公報では、水圧の異常信号を電磁ソレノイドが検知してロック装置を解除し、これによってアームが回動可能となって、アームウエイトにより回動されて四方口弁の弁軸を回動させる、と説明されている。しかし、電磁ソレノイドを利用するには電気が必要とされるので、地震時には停電が伴なうことを考慮すると、この方法は、矢張り緊急時には作動しなくなる、という問題がある。
【００１２】
【発明が解決しようとする課題】
この発明者は、上述のような事情に鑑み、緊急時に、緊急作動弁、すなわち上述のような二方口弁又は四方口弁を自動的に確実に作動させるためには、別の機構を案出する必要を感じた。この発明は、このような必要に応じて生れたものである。
【００１３】
【課題解決のための手段】
この発明者は、上述の課題を解決するための手段として、ボンベに蓄えられた気体の圧力を原動力として利用するのが適していることを見出した。すなわち、例えば加圧空気又は窒素等を蓄えたボンベを用意し、通常はボンベの加圧気体が常に緊急作動弁に働いて水道水を正常時の流れに維持しており、水道本管を流れる水道水の圧力が或る設定値より低下したとき、ボンベの加圧気体が緊急作動弁を開閉させて水道水を緊急時の流れに変えるようにするのが適していることを見出した。また、ボンベの加圧気体を正常時と緊急時とを通じて常に緊急作動弁に作用させても、緊急作動弁を開閉させない限り、ボンベの加圧気体はさほど消失するものでないことを確かめた。この発明は、このような知見に基づいて完成されたものである。
【００１４】
この発明は、上述のような不慮の場合に備えた、加圧気体による水道水の供給方法と、その設備とを提供するものである。すなわち、この発明は一面では水道水の供給方法を提供し、他面では水道水の供給設備を提供するものである。
【００１５】
この発明に係る水道水の供給方法は、水道水を供給する水道本管の傍らに貯水槽を設け、水道本管と貯水槽との間を流入管と流出管とで接続し、水道本管、流入管及び流出管の何れかに緊急作動弁を付設し、正常時には水道本管内を流れる水道水を貯水槽を通って流し、緊急時には水道水を貯水槽に通さないで流すようにした水道水の供給方法において、上記緊急作動弁の近くに加圧気体を蓄えたボンベを設置し、緊急作動弁にはアクチュエータを付設し、水道本管を流れる水道水の圧力が設定値以上である間は、ボンベからの加圧気体をアクチュエータの一側に入れて緊急作動弁に上記正常時の水道水の流れを維持させ、水道本管を流れる水道水の圧力が設定値より低下した時、ボンベからの加圧気体をアクチュエータの他側に入れて、緊急作動弁を作動させ、上記緊急時の水道水の流れに変更することを特徴とするものである。
【００１６】
また、この発明が提供する水道水の供給設備は、水道水を供給する水道本管の傍らに貯水槽を設け、水道本管と貯水槽との間を流入管と流出管とで接続し、水道本管、流入管及び流出管の何れかに緊急作動弁を付設し、正常時には水道本管内を流れる水道水を貯水槽を通って流し、緊急時には水道水を貯水槽に通さないで流すようにした水道水の供給設備において、上記緊急作動弁の近くに加圧気体を蓄えたボンベを設置し、緊急作動弁にアクチュエータを付設し、ボンベとアクチュエータとの間に加圧気体を送るための通気管を付設し、通気管は制御弁を通り分岐してアクチュエータの少なくとも２個所に接続され、制御弁は水道本管内を流れる水道水の圧力の変化に伴ない、通路を変更できて通気管を開き又は閉じることができるようにしたことを特徴とするものである。
【００１７】
水道水の圧力によって通気管の選択をする制御弁は、水道水の圧力感知部と気体の通路変更部とを備えていることが好ましい。圧力感知部は水道水の圧力によって形状を変化するもの、例えば膨らむというようなダイヤフラムを含み、通路変更部はダイヤフラムに付設された軸の移動によって、流体通路を変更するものであることが好ましい。
【００１８】
また、この通路変更部は一方で通気管に加圧気体を送り、他方で他の通気管内に溜められていた加圧気体を大気中に放出するものであることが好ましい。この点では、通路変更部は一種の四方口弁であるとも云える構造のものであることが好ましい。
【００１９】
この発明を実施の一例について、図面に基づき説明すると次のとおりである。図４と図５とは、緊急作動弁として二方口弁を用いた場合のこの発明の水道水供給設備を模型的に示したものであって、そのうち、図４は正常時の状態を示し、図５は緊急時の状態を示している。また、図６と図７とは、緊急作動弁として四方口弁を用いた場合のこの発明の水道水供給設備を模型的に示したものであって、そのうち図６は正常時の状態を示し、図７は緊急時の状態を示している。また、図８と図９とは、緊急作動弁として三方口弁を用いた場合のこの発明の水道水供給設備を模型的に示したものであって、そのうち、図８は正常時の状態を示し、図９は緊急時の状態を示している。図１０は、この発明で用いることのできる三方口弁の断面図である。
【００２０】
図４に示したこの発明に係る設備は、次のように構成されている。水道本管１は途中で切断されて、流入管３により貯水槽２に接続され、貯水槽２は流出管４により水道本管１１に接続されている。こうして、水道本管１からの水道水は、流入管３を経て貯水槽２へ入り、流出管４を経て水道本管１１へ流れる。これが正常時の水道水の流れである。
【００２１】
緊急時の流れにするために、図４及び図５では流入管３側に緊急遮断弁Ｐが付設され、流出管４側に緊急遮断弁Ｑが付設される。緊急遮断弁ＰとＱとは何れも二方口弁であって、緊急作動弁の一種である。
【００２２】
緊急遮断弁ＰとＱとが作動して水道水の流れを閉じた時、水道水を水道本管１から１１へ流すために、水道本管１と同じ径のバイパス管２０が水道本管１と１１との間に付設されている。バイパス管２０には、二方口弁からなり、緊急作動弁の一種である緊急開放弁Ｒが付設されている。こうして作られた水道水の供給設備は、図１に模型的に示した設備と同じである。なお、ここで用いることのできる二方口弁は、例えば実公平６−３０９１３号の図２に示したような構造のものである。
【００２３】
図４に示した設備では、緊急作動弁Ｐ、Ｑ、Ｒの近くに加圧気体を蓄えたボンベＸが設置されている。加圧気体としては不活性ガスを用いることが好ましいが、また空気、窒素のような無害なガスを用いることが好ましい。また、二酸化炭素であってもよい。ボンベＸは、通気管６０により制御弁Ｙに接続されている。
【００２４】
制御弁Ｙは、水道水の圧力感知部７１と気体の通路変更部７２とを備えている。圧力感知部７１はダイヤフラム７３を含み、ダイヤフラム７３は水道本管１と１１との間に付設された細管７０から導入される水道水に接している。従って、水道水の水圧が高い間はダイヤフラム７３は膨らんでいる。ところが、この水圧が低下すると、ダイヤフラム７３は縮み、ダイヤフラム７３が縮むと、ダイヤフラム７３に付設された軸が移動して通路変更部７２における通路が変更される。
【００２５】
このため、水道水の圧力が或る設定値以上である間は、例えば通路変更部７２が右半部に模型的に示したような状態となって、通気管６０と第１通気管４０とが連通することとなる。ところが、水道水の圧力が設定値より低下すると、通路変更部７２は左半部に模型的に示したような状態となって、図５に示したように、通気管６０は、第１通気管４０と遮断され、第２通気管５０と連通することとなる。
【００２６】
図４に示した設備では、緊急遮断弁Ｐ、Ｑと緊急開放弁Ｒとにそれぞれピストン式のアクチュエータ３１、３２、３３が付設されている。これらのアクチュエータでは、それぞれピストンの一側が通気管４１、４２、４３に接続しているが、これらの通気管４１、４２、４３はその先がさらに同じ１つの第１通気管４０に接続されている。従って、第１通気管４０に導入された加圧気体は、アクチュエータ３１、３２、３３を一斉に同じように作動させる。
【００２７】
また、アクチュエータ３１、３２、３３は、それぞれのピストンの他側が通気管５１、５２、５３に接続され、これらの通気管はさらに同じ１つの第２通気管５０に接続されている。第２通気管５０は制御弁Ｙに接続されている。従って、第２通気管５０に加圧気体が導入されると、アクチュエータ３１、３２、３３は一斉に同じように前とは反対方向に作動する。
【００２８】
図４は、この発明に係る給水設備の正常時の状態を示している。すなわち、水道本管を流れる水道水の圧力が設定値以上となっている場合の状態を示している。このとき、制御弁Ｙは通路変更部７２が右半部に示したような状態となって、通気管６０が第１通気管４０と連通しているが、第２通気管５０との間では遮断されている。このとき、第２通気管５０は通路変更部７２から大気に通じて、第２通気管５０内の気体を大気中に放出できる状態になっている。従って、図４では、ボンベから送られてくる加圧気体は、第１通気管４０から通気管４１、４２、４３に分かれてそれぞれアクチュエータ３１、３２、３３に入り、ピストンを矢印７方向、すなわち通気管４１、４２、４３から遠ざける方向に押している。そのため、緊急遮断弁ＰとＱとは開いた状態に維持され、緊急開放弁Ｒは閉じた状態に維持されている。
【００２９】
図５は、図４に示したこの発明に係る給水設備の緊急時の状態を示している。すなわち、水道本管を流れる水道水の圧力が設定値より低下した場合の状態を示している。このとき、制御弁Ｙは、圧力感知部７１のダイヤフラム７３が縮み、ダイヤフラム７３に付設された軸が移動するので、通路変更部７２は左半部に模型的に示したような状態となる。
【００３０】
図５に示したように、制御弁Ｙの通路変更部７２が左半部に示した状態になると、通気管６０が第２通気管５０と連通し、第１通気管４０は大気に通じることとなる。従って、ボンベＸからの加圧気体は、通気管６０から第２通気管５０を通り、次いで通気管５１、５２、５３を経由してそれぞれアクチュエータ３１、３２、３３へ導入される。このため、各アクチュエータ３１、３２、３３内のピストンは、通気管５１、５２、５３から遠ざかる方向へ押される。こうして、緊急遮断弁ＰとＱとは遮断され、緊急開放弁Ｒは開放される。
【００３１】
その結果、水道本管１を流れる水道水は、貯水槽２を通らないで代わりにバイパス管２０を通って、水道本管１１へと流れる。これが緊急時の水道水の流れである。
【００３２】
次に緊急作動弁として四方口弁を用いた場合について、図６と図７とを参照して説明する。図６と図７とに示した設備は、水道本管１、１１と、貯水槽２とが流入管３と流出管４とによって接続されており、流入管３と流出管４とに跨って四方口弁Ｓが付設されている。この状態は図２に示した状態と同じである。なお、四方口弁としては特開平１１−３０４０２１号公報の図３に示されたようなものを使用することができる。
【００３３】
図６と図７に示した設備では、図４及び図５に示した設備と同様に、ボンベＸからの加圧気体が通気管６０を経由して制御弁Ｙへ入ることとされている。制御弁Ｙは、図４及び図５について説明したのと同じものであって、圧力感知部７１と通路変更部７２とを備えている。制御弁Ｙは、正常時には図６に示したように、通路変更部７２が右半部に示したような連通状態となり、緊急時には図７に示したように、通路変更部７２が左半部に示されたような連通状態となる。このため加圧気体はつぎに述べるように流れる。
【００３４】
正常時には、図６に示したようにボンベＸからの加圧気体が、通気管６０を経由して制御弁Ｙへ入り、第１通気管４０を経由してアクチュエータ３１の一側へ入るので、アクチュエータ３１のピストンは図６に示すような状態になっている。アクチュエータ３１がこの状態のとき、四方口弁Ｓは水道本管１からの水道水を流入管３へ流し、流出管４の水を水道本管１１へ流すようにしている。従って、水道本管１からの水道水は、貯水槽２を経由して水道本管１１へ流れ、正常時の状態となっている。
【００３５】
水道水の圧力が設定値より低下し、従って制御弁Ｙの圧力感知部７１へ入る水圧が低下すると、制御弁Ｙの通路変更部７２が左半部に示した連通状態に移り、図６の状態から図７の状態に変わる。図７では、ボンベＸからの加圧気体が、通気管６０を経て制御弁Ｙへ入り、ここで第２通気管５０を通ることとされて、アクチュエータ３１へ導入される。従ってアクチュエータ３１のピストンは図７に示すように第２通気管５０から遠ざかる方向に押される。
【００３６】
アクチュエータ３１のピストンが第２通気管５０から遠ざかる方向に押されると、四方口弁Ｓは水道本管同士を連通させて、流入管３と流出管４へ水道水を流さなくなる。従って、水道本管１からの水道水は貯水槽２を通らないで、水道本管１から四方口弁Ｓを経由して１１へと流れる。こうして緊急時の流れが実現される。
【００３７】
水道本管を流れる水道水を貯水槽へ流すに際し、三方口弁を用いることは知られていない。しかし、この発明は、二方口弁や四方口弁と同様に三方口弁をも用いて実施することができるので、以下に三方口弁を用いたこの発明の実施態様を図８と図９とを参照して説明する。
【００３８】
図８と図９とに示した設備は、水道本管１、１１と貯水槽２とが、流入管３と流出管４とによって接続されており、それらの接続部には三方口弁ＴとＵとが付設されている。この場合の三方口弁としては、図１０に示したような構造のものを用いることができる。このような構造の三方口弁そのものは公知であって、例えば特許第２９８４５４３号公報に図１などとして掲載されている。
【００３９】
図８と図９とに示した設備では、図４ないし図７に示した設備と同様に、ボンベＸからの加圧気体が、通気管６０を経由して制御弁Ｙへ導入される。制御弁Ｙは、図４ないし図７について説明したのと同じものであって、正常時には図８に示したように、通路変更部７２が右半部に示したような連通状態となって、通気管６０を流れてきた気体を第１通気管４０に流すが、緊急時には通気管６０を流れてきた気体を第２通気管５０に流す。
【００４０】
このため、正常時にはアクチュエータ３１と３２中のピストンが何れも図８に示したように、第１通気管４０の入口から遠ざかる方向に押されている。このとき、三方口弁Ｔは水道本管１の水を流入管３へ流し、三方口弁Ｕは流出管４の水を水道本管１１へ流すようにしている。このため、正常時の水道水は、貯水槽２を通って流れる状態が維持される。
【００４１】
他方、緊急時には、アクチュエータ３１と３２中のピストンが、何れも図９に示したように、第２通気管５０から遠ざかる方向へ押されている。このとき、三方口弁ＴもＵもともに、弁体が回動し、バイパス管２０により水道本管同士を連通させ、水道本管と流入管３又は流出管４との間を遮断する。従って、水道本管を流れる水道水は貯水槽２へ入らないこととなる。
【００４２】
【発明の効果】
この発明に係る水道水の供給方法及び供給設備によれば、緊急作動弁を作動させるのに、水道水の水圧の低下を感知してこれを動機とし、原動力としてボンベに蓄えられた加圧気体を使用するので、停電などの事故があっても、緊急作動弁を容易且つ確実に作動させることができる。しかも、加圧気体はボンベに蓄えられているので、アクチュエータから気体の漏洩がない限り、加圧気体の消失は少なく、とくに頻繁に作動させるものではないから、加圧気体の消失は殆どない。従って、ボンベに蓄えられた加圧気体は永く使用することができ、保守点検の手間を省くことができる。
【００４３】
とくに加圧気体として空気又は窒素等を用いるときは、これが放出されても危険がなく、また環境を汚さないので、好適である。
【００４４】
また、この発明に係る装置では、緊急作動弁を作動させるために、ボンベからの加圧気体を緊急作動弁に付設したアクチュエータへ送るために通気管を付設し、その通気管は制御弁を備え、それから分岐した通気管をアクチュエータの少なくとも２個所に接続することとしたので、正常時と緊急時とに分けて別々の分岐した通気管を使用して緊急作動弁を作動させることができ、従って正常時の状態も緊急時の状態も何れも加圧気体によって確実に維持することができ、また正常状態から緊急状態への移り変わりも、容易且つ確実となる。また、制御弁は水道本管内を流れる水道水の圧力の変化に伴ない、通路を変更できて通気管を開き又は閉じることができるものとしたので、水道水の低下に伴なって自動的に加圧気体を送る通気管を変えて正常状態から緊急状態へ移ることができる。
【００４５】
また、この設備では緊急作動弁にスプリングを使用する必要がないから、設備が錆びたり腐蝕したりするおそれがなく、従って永く使用することができる。この発明はこのような色々な利益を与えるものである。
【００４６】
また、緊急作動弁として二方口弁を使用するときは、水道水の供給設備としては全体で二方口弁を３個付設する必要がある。他方、緊急作動弁として四方口弁を使用するときは、供給設備全体で四方口弁をただ１個付設すれば足りる。また、緊急作動弁として三方口弁を使用するときは、供給設備全体で２個の三方口弁を使用しなければならない。緊急作動弁の必要個数だけから見れば、四方口弁の使用が有利なように見えるが、四方口弁は構造が複雑で高価であり、三方口弁はこれに次いで複雑であり、他方、二方口弁は構造が簡単で価格も安いから、何れが有利かは時と場所とによって異なる。
【図面の簡単な説明】
【図１】従来の水道水供給設備を模型的に示したものである。
【図２】従来の別の水道水供給設備を模型的に示したものである。
【図３】従来の水道水供給設備において用いられる緊急作動弁の操作機構を示した通水時の状態図である。
【図４】この発明に係る水道水供給設備の正常時の状態を示した模型図である。
【図５】図４に示した水道水供給設備の緊急時の状態を示した模型図である。
【図６】この発明に係る他の水道水供給設備の正常時の状態を示した模型図である。
【図７】図６に示した水道水供給設備の緊急時の状態を示した模型図である。
【図８】この発明に係るさらに別の水道水の供給設備の正常時の状態を示した模型図である。
【図９】図８に示した水道水供給設備の緊急時の状態を示した模型図である。
【図１０】この発明で用いることのできる三方口弁の断面図である。
【符号の説明】
１、１１                          水道本管
２                                貯水槽
３、３’                          流入管
４、４’                          流出管
７                                矢印
９、９’                          パイロット弁
１０                              主弁
２０                              バイパス管
３１、３２、３３                  アクチュエータ
４０                              第１通気管
４１、４２、４３                  通気管
５０                              第２通気管
５１、５２、５３、６０            通気管
７０                              細管
７１                              圧力感知部
７２                              通路変更部
７３                              ダイヤフラム
Ｐ、Ｑ                            緊急遮断弁
Ｒ                                緊急開放弁
Ｓ                                四方口弁
Ｔ、Ｕ                            三方口弁
Ｘ                                ボンベ
Ｙ                                制御弁
【図１】
0003690742.tif 000002
【図２】
0003690742.tif 000003
【図３】
0003690742.tif 000004
【図４】
0003690742.tif 000005
【図５】
0003690742.tif 000006
【図６】
0003690742.tif 000007
【図７】
0003690742.tif 000008
【図８】
0003690742.tif 000009
【図９】
0003690742.tif 000010
【図１０】
0003690742.tif 000011